【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
試料を保持して遠心分離する着脱可能なロータと、前記ロータを回転させるモータと、前記モータを駆動制御する制御装置とを有し、複数種類のロータを選択的に使用可能な遠心分離機であって、
前記ロータの種類を識別するロータ情報を前記ロータの種類と対応させて記憶するロータ情報記憶手段と、
前記ロータ情報記憶手段に記憶されたロータの中から少なくとも１つのロータの種類を登録するロータ登録手段と、
前記ロータ情報を検出するロータ情報検出手段と、
前記ロータ情報記憶手段に記憶されたロータ情報と、前記ロータ情報検出手段が検出したロータ情報とを比較して、前記ロータの種類を識別するロータ識別手段と、
を有し、
前記ロータ情報は少なくとも第一ロータ特定情報と第二ロータ特定情報を含み、前記ロータ情報検出手段は、前記遠心分離機に装着されたロータのロータ情報を検出し、前記ロータ識別手段は、前記ロータ登録手段により登録された前記ロータの種類に対応するロータ情報と前記ロータ情報検出手段が検出したロータ情報とを比較して、前記ロータの種類を識別することを特徴とする遠心分離機。
【請求項２】
試料を保持して遠心分離する着脱可能なロータと、前記ロータを回転させるモータと、前記モータを駆動制御する制御装置とを有し、複数種類のロータを選択的に使用可能な遠心分離機であって、
前記ロータの種類を識別するロータ情報を前記ロータの種類と対応させて記憶するロータ情報記憶手段と、
操作パネルと、
前記ロータ情報記憶手段に記憶されたロータの中から使用者が所有する少なくとも１つのロータの種類を前記操作パネルを操作して登録するロータ登録手段と、
前記ロータ情報を検出するロータ情報検出手段と、
前記ロータ情報記憶手段に記憶されたロータ情報と、前記ロータ情報検出手段が検出したロータ情報とを比較して、前記ロータの種類を識別するロータ識別手段と、
を有し、
前記ロータ情報検出手段は、前記遠心分離機に装着されたロータのロータ情報を検出し、前記ロータ識別手段は、前記ロータ登録手段により登録された前記ロータの種類に対応するロータ情報と前記ロータ情報検出手段が検出したロータ情報とを比較して、前記ロータの種類を識別することを特徴とする遠心分離機。
【請求項３】
前記遠心分離機に装着するロータの種類を選定するロータ選定手段を更に有し、
前記制御装置は、前記ロータ識別手段が識別したロータの種類と、前記ロータ選定手段が選定したロータの種類とが相違する場合に、前記ロータの回転を停止することを特徴とする請求項１または２に記載の遠心分離機。
【請求項４】
前記第一ロータ特定情報と前記第二ロータ特定情報のいずれか一方が、前記ロータの種類を識別するために前記ロータに設けられた識別子の数及び位置を含む識別子配置情報であり、
前記ロータ情報検出手段は、前記遠心分離機に装着されたロータの識別子配置情報を検出し、前記ロータ識別手段は、前記ロータ登録手段により登録された前記ロータの種類に対応する識別子配置情報と前記ロータ情報検出手段が検出した識別子配置情報とを比較して、前記ロータの種類を識別することを特徴とする請求項１乃至３のいずれか一項に記載の遠心分離機。
【請求項５】
前記第一ロータ特定情報と前記第二ロータ特定情報のいずれか一方が、前記ロータの慣性モーメント情報であり、
前記ロータ情報検出手段は、前記遠心分離機に装着されたロータの慣性モーメントを検出し、前記ロータ識別手段は、前記ロータ登録手段により登録された前記ロータの種類に対応する慣性モーメント情報と前記ロータ情報検出手段が検出した前記慣性モーメントとを比較して、前記ロータの種類を識別することを特徴とする請求項１乃至３のいずれか一項に記載の遠心分離機。
【請求項６】
前記第一ロータ特定情報と前記第二ロータ特定情報のいずれか一方が、前記ロータの種類を識別するために前記ロータに設けられた識別子の数及び位置を含む識別子配置情報であって、他方が前記ロータの慣性モーメント情報であり、
前記ロータ情報検出手段は、前記遠心分離機に装着されたロータの識別子配置情報及び慣性モーメントを検出し、
前記ロータ識別手段は、前記ロータ登録手段により登録された前記ロータの種類に対応する識別子配置情報と、前記ロータ情報検出手段が検出した識別子配置情報とを比較して特定した前記ロータの種類と、前記ロータ登録手段により登録された前記ロータの種類に対応する慣性モーメント情報と、前記ロータ情報検出手段が検出した慣性モーメントとを比較して特定した前記ロータの種類とが一致する場合にのみ、前記特定した種類を前記ロータの種類として識別することを特徴とする請求項１乃至３のいずれか一項に記載の遠心分離機。
【請求項７】
試料を保持し遠心分離機に着脱可能に装着され、制御装置が制御するモータにより回転するロータの識別方法であって、
前記ロータの種類を識別するロータ情報を前記ロータの種類と対応させて記憶するロータ情報記憶ステップと、
前記ロータ情報記憶ステップで記憶されたロータの中から少なくとも１つのロータの種類を登録するロータ登録ステップと、
前記遠心分離機に装着されたロータの前記ロータ情報を検出するロータ情報検出ステップと、
前記ロータ登録ステップで登録されたロータのロータ情報と、前記ロータ情報検出ステップで検出したロータ情報とを比較して、前記ロータの種類を識別するロータ識別ステップと、
を有し、前記ロータ情報は少なくとも第一ロータ特定情報と第二ロータ特定情報を含むことを特徴とするロータ識別方法。
【請求項８】
試料を保持し遠心分離機に着脱可能に装着され、制御装置が制御するモータにより回転するロータの識別方法であって、
前記ロータの種類を識別するロータ情報を前記ロータの種類と対応させて記憶するロータ情報記憶ステップと、
前記ロータ情報記憶ステップで記憶されたロータの中から使用者が所有する少なくとも１つのロータの種類を操作パネルを操作することにより登録するロータ登録ステップと、
前記遠心分離機に装着されたロータの前記ロータ情報を検出するロータ情報検出ステップと、
前記ロータ登録ステップで登録されたロータのロータ情報と、前記ロータ情報検出ステップで検出したロータ情報とを比較して、前記ロータの種類を識別するロータ識別ステップと、
を有することを特徴とするロータ識別方法。
【請求項９】
前記遠心分離機に装着するロータの種類を選定するロータ選定ステップと、
前記ロータ識別ステップで識別したロータの種類と、前記ロータ選定ステップで選定したロータの種類とが相違する場合に、前記制御装置が前記ロータの回転を停止するロータ停止ステップと、
を有することを特徴とする請求項７または８に記載のロータ識別方法。
【請求項１０】
前記第一ロータ特定情報と前記第二ロータ特定情報のいずれか一方が、前記ロータの種類を識別するために前記ロータに設けられた識別子の数及び位置を含む識別子配置情報であることを特徴とする請求項７乃至９のいずれか一項に記載のロータ識別方法。
【請求項１１】
前記第一ロータ特定情報と前記第二ロータ特定情報のいずれか一方が、前記ロータの慣性モーメント情報であることを特徴とする請求項７乃至９のいずれか一項に記載のロータ識別方法。
【請求項１２】
前記第一ロータ特定情報と前記第二ロータ特定情報のいずれか一方が、前記ロータの種類を識別するために前記ロータに設けられた識別子の数及び位置を含む識別子配置情報であって、他方が前記ロータの慣性モーメント情報であり、
前記ロータ識別ステップにおいて、前記識別子配置情報により特定した前記ロータの種類と、前記慣性モーメント情報により特定した前記ロータの種類とが一致する場合にのみ、前記特定した種類を前記ロータの種類として識別することを特徴とする請求項７乃至９のいずれか一項に記載のロータ識別方法。